(57)【特許請求の範囲】
【請求項１】
横倒させた複数のログ材を高さ方向に積み上げてなるログ壁を備えたログハウスであって、
前記ログハウスの外壁を構成する第１の前記ログ壁と、
前記第１のログ壁に隣接する第２の前記ログ壁と、
前記ログ材において、端部より長手方向内側に形成され、他の前記ログ材と篏合するノッチ部と、
前記第１のログ壁に形成されるノッチ部と、前記第２のログ壁に形成されるノッチ部とが篏合して形成される交差部と、
前記第２のログ壁の端部であって前記交差部よりも前記ログハウスの外側に突出する突出部と、
前記突出部に一端が保持されている窓と、
を備える、
ログハウス。
【請求項２】
前記窓は、前記第１のログ壁の壁面よりも外側に保持されている、
請求項１記載のログハウス。
【請求項３】
第３のログ壁および第４のログ壁をさらに備え、
前記第３のログ壁に形成されるノッチ部と前記第４のログ壁に形成されるノッチ部により第２交差部が形成され、
前記第３のログ壁の端部であって前記第２交差部よりも前記ログハウスの外側に突出する第２突出部に、前記窓の他端が保持されている、
請求項１又は２記載のログハウス。
【請求項４】
前記窓の鉛直方向の外縁を保持する柱をさらに備え、
前記突出部には、前記柱の長手方向の形状に対応する掘り込みが形成されていて、当該掘り込みに前記柱の一部がはめ込まれて連結されている、
請求項１乃至３のいずれかに記載のログハウス。
【請求項５】
前記窓の上部に配設されるまぐさ梁と、
一端が前記まぐさ梁に連結され、他端が前記ログハウスの耐力壁に連結されている支持部材と、
をさらに備える、
請求項３又は４記載のログハウス。
【請求項６】
前記まぐさ梁および前記突出部に連結され、前記まぐさ梁と前記第２のログ壁に対して斜めに配設される火打ち梁をさらに備える、
請求項５記載のログハウス。
【発明の詳細な説明】
【技術分野】
【０００１】
本発明は、ログハウスに関する。
【背景技術】
【０００２】
丸太組構法による建築物、所謂ログハウスは、丸太、製材その他これに類する木材等のログ材を、欠き込みを入れて交差させながら水平に積み上げることで壁面（ログ壁）を構築している。そのため、この交差部付近には窓等の開口を設けることができず、開口が小さくなってしまっていた。そこで、大きな開口を有し、採光性の高いログハウスが必要とされている。
【０００３】
この点、特許文献１〜３では、ログハウスの間口又は窓に関する構成が開示されている。
【先行技術文献】
【特許文献】
【０００４】
【特許文献１】特開２０１７−０４０１２９号公報
【特許文献２】特開２０１３−２２７７８２号公報
【特許文献３】実用新案登録２５０１００２号公報
【発明の概要】
【発明が解決しようとする課題】
【０００５】
上記特許文献１〜３記載のログハウスでは、高い採光性を確保することはできなかった。
【０００６】
そこで、本発明は、大きな窓を有し、採光性の高いログハウスを提供することを目的とする。
【課題を解決するための手段】
【０００７】
上記目的を達成するため、本発明の一の観点に係るログハウスは、横倒させた複数のログ材を高さ方向に積み上げてなるログ壁を備えたログハウスであって、前記ログハウスの外壁を構成する第１の前記ログ壁と、前記第１のログ壁に隣接する第２の前記ログ壁と、前記ログ材において、端部より長手方向内側に形成され、他の前記ログ材と篏合するノッチ部と、前記第１のログ壁に形成されるノッチ部と前記第２のログ壁に形成されるノッチ部とが篏合して形成される交差部と、前記第２のログ壁の端部であって前記交差部よりも前記ログハウスの外側に突出する突出部と、前記突出部に一端が保持されている窓と、を備える。
【０００８】
前記窓は、前記第１のログ壁の壁面よりも外側に保持されているものとしてもよい。
【０００９】
第３のログ壁および第４のログ壁をさらに備え、前記第３のログ壁に形成されるノッチ部と前記第４のログ壁に形成されるノッチ部により第２交差部が形成され、前記第３のログ壁の端部であって前記第２交差部よりも前記ログハウスの外側に突出する第２突出部に、前記窓の他端が保持されているものとしてもよい。
【００１０】
前記窓の鉛直方向の外縁を保持する柱をさらに備え、前記突出部には、前記柱の長手方向の形状に対応する掘り込みが形成されていて、当該掘り込みに前記柱の一部がはめ込まれて連結されているものとしてもよい。
【００１１】
前記窓の上部に配設されるまぐさ梁と、一端が前記まぐさ梁に連結され、他端が前記ログハウスの耐力壁に連結されている支持部材と、をさらに備えるものとしてもよい。
【００１２】
前記まぐさ梁および前記突出部に連結され、前記まぐさ梁と前記第２のログ壁に対して斜めに配設される火打ち梁をさらに備えるものとしてもよい。
【発明の効果】
【００１３】
本発明によれば、大きな窓を有し、採光性の高いログハウスを提供することができる。
【図面の簡単な説明】
【００１４】
【図１】本実施形態に係るログハウスの概略斜視図である。
【図２】本実施形態に係るログハウスの構造を部分的に示した斜視図である。
【図３】本実施形態に係るログハウスの開口部の様子を示す部分横断面図である。
【図４】本実施形態に係るログハウスの開口上端部を示す概略斜視図である。
【図５】本実施形態に係るログハウスの（ａ）柱とログ壁の結合部分を示す横断面図、（ｂ）上記柱および上記ログ壁の結合部分を示す斜視図である。
【図６】関連技術におけるログハウスの（ａ）概略斜視図、（ｂ）上記ログハウスの開口を示す横断面図である。
【００１５】
以下、本発明の実施形態に係るログハウスについて、図を参照して説明する。
本発明の実施形態に係るログハウスＬの構造を図１および図２に示す。
なお、各図面では本発明の説明に必要な範囲で各部材等を図示しているのであり、ログハウスＬが備えるべき基礎や梁、屋根等は図示を省略している場合があるが、通常のログハウスの構築上、必要なものは適宜、設けられる。
【００１６】
ログハウスＬの壁面を構成するログ壁Ｗは、横倒させた複数のログ材１を高さ方向に積み上げてなる。図２の例では、ログ材１の一端部近傍であって、端部より長手方向内側に、所定の形状に切り欠いたノッチ部１１が形成されている。また、ログ材１の他端部は、窓や扉を構成する枠材４と接合している。なお、図２の例に限らず、ログハウスＬの設計次第で、あるいはログハウスＬを構成する箇所次第で、ログ壁Ｗを構成するログ材１の端部は、両端がノッチ部１１を構成することもあれば、枠材４と接合することもある。図３においては、交差する二つのログ壁Ｗ１およびＷ２を構成するログ材１のノッチ部１１同士が嵌合して交差部５０を形成している。
【００１７】
図１においては、ログ材１の交差部５０よりも外側の端部が、ログ壁Ｗ１からログハウスＬの前方に向かって突き出している突出部６０となっている。また、ログ壁Ｗ３およびログ壁Ｗ４も同様に交差部５１を形成し、ログ壁Ｗ３の端部はログ壁Ｗ３から前方に突き出している突出部６１となっている。
【００１８】
ログハウスＬの正面には、窓２０が設けられている。窓２０は、ガラス等透明な部材がはめ込まれている構造を指す。窓２０は、中央部に引き戸窓が配設され、その両脇に嵌め殺しの窓が配設されているが、この構成に限られるものではない。
【００１９】
図３に示すように、窓２０の左右端は、ログ壁Ｗ２、Ｗ３において対をなす突出部６０、６１に保持されている。すなわち、窓２０は、ログハウスＬの外壁を構成する耐力壁Ｗ１、Ｗ４の壁面よりもログハウスＬの外側に配置されている。
【００２０】
ここで、図６（ａ）および（ｂ）に示す関連技術のログハウスＬ１０１においては、窓１２０は、ログハウスＬ１０１の外壁を形成する耐力壁Ｗ１０１、Ｗ１０４に保持されている。耐力壁Ｗ１０１、Ｗ１０４は、室内を仕切るログ壁Ｗ１０２、Ｗ１０３にそれぞれ連結されている。ログハウスの特性上、ログ壁Ｗ１０２、Ｗ１０３は耐力壁Ｗ１０１、Ｗ１０４と交差して連結され、その端部は前面に突出している。また、交差部１５０、１５１におけるノッチ部を構造上確保するため、耐力壁Ｗ１０１、Ｗ１０４の端部は交差部１５０、１５１より内側に伸び出ていて、窓１２０は、当該端部に連結する必要がある。したがって、窓１２０の幅は、ログ壁Ｗ１０２、Ｗ１０３間の距離よりも小さくせざるを得ない。具体的には、例えば、窓１２０の幅は、ログ壁Ｗ１０２、Ｗ１０３間距離よりも６０ｃｍ以上小さいものとなっていた。
【００２１】
これに対し、本願発明に係るログハウスＬにおいては、窓２０が突出部６０、６１に保持されるため、窓２０の大きさはノッチ部等のログハウス特有の構造に制約を受けることがなく、ログ壁Ｗ２、Ｗ３間に渡って形成することができる。また、窓の高さに関しても、ログハウスＬ１０１より大きくとることができ、図１に示すように屋根に沿って端部を傾斜させることもできる。この構成によれば、窓を大きくし、採光性の高いログハウスを実現できる。すなわち、ログハウスの室内を明るくすることができる。なお、本実施形態ではログハウスＬの正面において窓２０が突出しているものとして説明したが、異なる面、例えば側面又は背面に突出する窓２０が設けられてもよい。
【００２２】
図４に示すように、ログハウスＬは、風圧から窓２０を支える構成として、柱３１、まぐさ梁３２、支持部材３３（図１参照）、支持部材３４、および火打ち梁３５を有する。窓２０は、ログハウスＬの前面から突出しているため、関連技術のログハウスＬ１０１と比較して風圧を受けやすい。したがって、本願発明に係るログハウスＬにおいては窓２０を支える構成が必要である。なお、本実施形態は例示であり、各構成の一部を有さないログハウスも、本発明の技術的範囲に属する。
【００２３】
柱３１は、窓２０の鉛直方向の外縁を保持し、ログ壁Ｗ２の突出部６０と窓２０とを連結される部材である。本実施形態では、窓２０とログ壁Ｗ２は略直交している。図５（ａ）および（ｂ）に示すように、突出部６０には、柱３１の長手方向の形状に対応する掘り込み６５が形成されていて、当該掘り込み６５に柱３１の一部をはめ込んで連結させる。この構成によれば、図５（ｂ）の矢印方向からの風圧に対しても柱３１をたわまないように保持できる。
なお、本実施形態においては掘り込み６５が形成されているものとしたが、掘り込み６５がなく、柱３１が突出部６０の壁面に連結されている形態であってもよい。
【００２４】
柱３１には、貫通孔３６が穿設されている。当該貫通孔３６に適宜の連結部材を挿通し、突出部６０に連結することで、柱と突出部６０とを連結する。貫通孔３６は、鉛直方向において連結部材よりも大きいルーズホールとなっている。この構成によれば、セトリングにより経年でログ壁Ｗ２が下がったり、ログ壁Ｗ２と窓２０の高さに差が生じた場合にも、歪みを吸収することができる。
【００２５】
図４に示すまぐさ梁３２は、窓２０の上部に取り付けられる横材である。この構成により、窓２０およびその上方の壁を支持している。
【００２６】
支持部材３３、３４は、窓２０に略直交して窓２０をログハウスＬの内側から支持する部材である。支持部材３３、３４の一端は、まぐさ梁３２に連結され、ログハウスＬの内側に向かって伸び出ている。また、支持部材３３、３４の他端は、耐力壁の一部を構成する適宜の部材に連結されていて、窓２０がたわむのを防止している。なお、支持部材３３、３４の他端は、耐力壁に限らず別の部材に連結されていてもよい。支持部材３３、３４のいくつか又は全部は、ログハウスＬの正面から突出していてもよい。本実施形態においては、図１に示すように、支持部材３３は正面から突出している。
【００２７】
火打ち梁３５は、両端がそれぞれまぐさ梁３２とログ壁Ｗ２の突出部６０とに連結され、まぐさ梁３２とログ壁Ｗ２に対して斜めに配設される部材である。火打ち梁３５は、まぐさ梁３２が支持するスパンを短くすることで、まぐさ梁３２および窓２０がたわむのを防止できる。
【００２８】
なお、ログハウスＬの正面から内側に向かう方向に風が吹くことを想定して説明したが、種々の構造上の特性により、風が異なる方向に吹いたとしても効果的である。
【００２９】
また、鉛直方向に隣接し、壁面Wを構成するログ材１の間には、略帯状の防水テープがログ材１の長さ方向に介装されていてもよい。防水テープは、所定の厚みを有する略帯状のテープであり、ビニル樹脂等、防水性を有する材質からなる。この防水テープが所定の厚みを有していることにより、ログ材１が積み上げられると、鉛直方向に隣接するログ材１の間の隙間、即ち目地が防水テープで埋められ、ログ材１間からの雨水等の浸入を防ぐことができる。防水テープの裏面側には、防水テープをログ材１に貼り付けるための粘着剤が塗布されており、ログ材１に防水テープを貼り付けることができる。また、同様に、柱３１と突出部６０との間にも防水テープを介装してもよい。
【００３０】
また、ログ材１は、本実施形態においては角型を想定しているが、Ｄ型ログ、丸ログなど、各種の形状のログ材を用いることができ、これらのログ材についても、本発明の適用は可能である。
【００３１】
また、上述のログハウスＬは、ログハウスＬを構成する部材、即ち、複数のログ材１、窓２０及び柱３１等を含めた組立キットとして提供することもできる。この組立キットを所定の工程に従って組み立てることで、ログハウスＬが建築される。
【符号の説明】
【００３２】
Ｌ                      ログハウス
Ｗ１、Ｗ２、Ｗ３、Ｗ４  ログ壁
１                      ログ材
６０、６１              突出部
２０                    窓
【要約】
【課題】大きな窓を有し、採光性の高いログハウスを提供する。
【解決手段】横倒させた複数のログ材１を高さ方向に積み上げてなるログ壁Ｗを備えたログハウスＬであって、ログハウスの外壁を構成する第１のログ壁Ｗ１と、第１のログ壁に隣接する第２のログ壁Ｗ２と、ログ材において、端部より長手方向内側に形成され、他のログ材と篏合するノッチ部１１と、第１のログ壁に形成されるノッチ部と第２のログ壁に形成されるノッチ部とが篏合して形成される交差部５０と、第２のログ壁の端部であって交差部よりもログハウスの外側に突出する突出部６０と、突出部に一端が保持されている窓と、を備える。
【選択図】図１【図１】
0006830709.tif 000002
【図２】
0006830709.tif 000003
【図３】
0006830709.tif 000004
【図４】
0006830709.tif 000005
【図５】
0006830709.tif 000006
【図６】
0006830709.tif 000007